(57)【特許請求の範囲】
【請求項１】
槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部は、排水配管内周面と従動部外周面の間において排水配管の内周面に沿って形成された傾斜面を備え、
当接部が従動部と当接した際、当該傾斜面によって当接部から付与される応力が、従動部を上下動させる応力へと変換され、
上記従動部は昇降部を有し、
当該昇降部に弁体の外縁が支持されることを特徴とする遠隔操作式排水栓装置。
【請求項２】
槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部は、排水配管内周面と従動部外周面の間において排水配管の内周面に沿って形成された傾斜面を備え、
当接部が従動部と当接した際、当該傾斜面によって当接部から付与される応力が、従動部を上下動させる応力へと変換され、
上記従動部は、排水配管の内周面に沿って形成された昇降部を有し、
当該昇降部に弁体が支持されることを特徴とする遠隔操作式排水栓装置。
【請求項３】
槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部のどちらか一方の部材は傾斜面を有する溝部を備えると共に、他方の部材は当該溝部内を摺動する突起部を備え、
突起部が溝部内を摺動することによって、当接部から付与される応力が、従動部を上下動させる応力へと変換され、
上記従動部は昇降部を有し、
当該昇降部に弁体の外縁が支持されることを特徴とする遠隔操作式排水栓装置。
【請求項４】
槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部のどちらか一方の部材は傾斜面を有する溝部を備えると共に、他方の部材は当該溝部内を摺動する突起部を備え、
突起部が溝部内を摺動することによって、当接部から付与される応力が、従動部を上下動させる応力へと変換され、
上記従動部は、排水配管の内周面に沿って形成された昇降部を有し、
当該昇降部に弁体が支持されることを特徴とする遠隔操作式排水栓装置。
【請求項５】
前記従動部は排水配管内周と略同一の外周形状を備えたリング状であることを特徴とする請求項１乃至請求項４のいずれか１つに記載の遠隔操作式排水栓装置。
【請求項６】
前記従動部は、
操作部に対し操作が加えられた際、上昇する応力が付与されると共に、
操作部に対し他の操作が加えられた際、下降する応力が付与されることを特徴とする請求項１乃至請求項５のいずれか１つに記載の遠隔操作式排水栓装置。
【請求項７】
前記伝達部は水平方向に可撓性を有するベルト部を有し、
当該ベルト部は、操作部の操作に伴い排水配管の周方向に沿って摺動することで従動部を動作させることを特徴とする請求項１乃至請求項６のいずれか１つに記載の遠隔操作式排水栓装置。」
【発明の詳細な説明】
【技術分野】
【０００１】
本願発明は、洗面ボウルやシンク、浴槽等の槽体の底面に形成された排水口の開閉を行う弁体を遠隔的に操作する遠隔操作式排水栓装置に関するものである。
【背景技術】
【０００２】
特許文献１に記載の遠隔操作式排水栓装置は、上下動により排水口の開閉を行う弁体、手動操作に基づいて操作を行う操作部、操作部の操作を弁体側へと伝達するレリースワイヤから成る。
弁体は周囲に止水用のパッキンが嵌着されており、弁体が下降した際には排水口を閉塞して槽体内に湯水等を貯留可能な状態とし、上昇した際には排水口を開口し、排水を下流側の排水流路へと排出することができる。又、弁体はその中心より直下方向に垂設された円筒状の支持軸部を備えている。
レリースワイヤは中空のアウターチューブ及び当該アウターチューブ内を進退可能なインナーワイヤから成り、当該進退によって操作部に加えられた操作を弁体側へと伝達する伝達部としての機能を有している。又、レリースワイヤは端部に昇降部材を備えている。昇降部材は上記インナーワイヤの進退に伴い回動し、先端部が支持軸部下端に当接することで弁体を上下動させる。
上記遠隔操作式排水栓装置について、弁体が下降状態にある時に使用者が操作部に対して操作を加えると、当該操作に基づいてインナーワイヤが操作部側へと後退する。そして、当該後退に伴い昇降部材が回動することで先端部が支持軸部に当接し、弁体を押し上げることで排水口が開口される。当該状態より使用者が更に操作部に操作を加えると、インナーワイヤが弁体側へと前進する。そして、当該前進に伴い昇降部材が回動することで先端部が下降し、弁体は自重によって下降することで排水口を閉塞する構造となっている。
【先行技術文献】
【特許文献】
【０００３】
【特許文献１】特開２０００−１６０６２０
【発明の概要】
【発明が解決しようとする課題】
【０００４】
上記遠隔操作式排水栓装置の昇降部材は支持軸部に当接するため、排水配管の側方から中心に向けて突出している。従って、昇降部材は排水中の毛髪等が絡み易く、非常に汚れやすい。又、昇降部材は排水配管の中心に向けて突出していることから、当該突出部分は使用者から視認されやすい状態にあるが、昇降部材は排水口のよりもかなり下方に配置されているため清掃を行うことが困難であり、使用者は昇降部材の汚れを視認しつつも清掃ができないという問題があった。尚、例え昇降部材が清掃可能な高さに配置されていても、その形状より清掃を行うことは非常に困難であった。
本願発明は上記問題に鑑み発明されたものであって、遠隔操作式排水栓装置の清掃性を向上させることを目的とする。
【課題を解決するための手段】
【０００５】
請求項１に記載の本発明は、槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部は、排水配管内周面と従動部外周面の間において排水配管の内周面に沿って形成された傾斜面を備え、
当接部が従動部と当接した際、当該傾斜面によって当接部から付与される応力が、従動部を上下動させる応力へと変換され、
上記従動部は昇降部を有し、
当該昇降部に弁体の外縁が支持されることを特徴とする遠隔操作式排水栓装置である。
【０００６】
請求項２に記載の本発明は、槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部は、排水配管内周面と従動部外周面の間において排水配管の内周面に沿って形成された傾斜面を備え、
当接部が従動部と当接した際、当該傾斜面によって当接部から付与される応力が、従動部を上下動させる応力へと変換され、
上記従動部は、排水配管の内周面に沿って形成された昇降部を有し、
当該昇降部に弁体が支持されることを特徴とする遠隔操作式排水栓装置である。
【０００７】
請求項３に記載の本発明は、槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部のどちらか一方の部材は傾斜面を有する溝部を備えると共に、他方の部材は当該溝部内を摺動する突起部を備え、
突起部が溝部内を摺動することによって、当接部から付与される応力が、従動部を上下動させる応力へと変換され、
上記従動部は昇降部を有し、
当該昇降部に弁体の外縁が支持されることを特徴とする遠隔操作式排水栓装置である。
【０００８】
請求項４に記載の本発明は、槽体の底面で排水口を形成する排水栓と、
排水口の開閉を行う弁体と、
排水栓から離れた位置に配置され、弁体の操作を行う操作部と、
操作部の操作に伴い上下動する従動部と、
操作部の操作を弁体側へと伝達する伝達部と、
伝達部により操作部の操作を伝達されて水平方向に動作し、従動部と当接する当接部から成り、
前記従動部又は当接部のどちらか一方の部材は傾斜面を有する溝部を備えると共に、他方の部材は当該溝部内を摺動する突起部を備え、
突起部が溝部内を摺動することによって、当接部から付与される応力が、従動部を上下動させる応力へと変換され、
上記従動部は、排水配管の内周面に沿って形成された昇降部を有し、
当該昇降部に弁体が支持されることを特徴とする遠隔操作式排水栓装置である。
【０００９】
上記請求項１乃至請求項４において、載置・係合・嵌合・挟持等、弁体が支持される方法について何ら限定するものではない。
【００１０】
請求項５に記載の本発明は、前記従動部は排水配管内周と略同一の外周形状を備えたリング状であることを特徴とする請求項１乃至請求項４のいずれか１つに記載の遠隔操作式排水栓装置である。
【００１１】
請求項６に記載の本発明は、前記従動部は、
操作部に対し操作が加えられた際、上昇する応力が付与されると共に、
操作部に対し他の操作が加えられた際、下降する応力が付与されることを特徴とする請求項１乃至請求項５のいずれか１つに記載の遠隔操作式排水栓装置である。
【００１２】
尚、ここに言う「他の操作」とは、操作の方法自体が異なるもののみを指すものではない。即ち、操作部の押し引きによって弁体を上下動させる構造であって、引き上げ操作時に弁体が上昇する構造の場合、引き上げ操作に対して押し込み操作が「他の操作」に該当するものであるが、操作部がロック機構等を有し、押し込み操作毎に弁体の上昇／下降状態を切り替える構造である場合等においては、弁体を上昇させる押し込み操作に対し、弁体を下降させる押し込み操作が「他の操作」に該当するものである。
【００１３】
請求項７に記載の本発明は、前記伝達部は水平方向に可撓性を有するベルト部を有し、
当該ベルト部は、操作部の操作に伴い排水配管の周方向に沿って摺動することで従動部を動作させることを特徴とする請求項１乃至請求項６のいずれか１つに記載の遠隔操作式排水栓装置である。
【発明の効果】
【００１４】
請求項１乃至請求項４に記載の本発明によれば、清掃時等において弁体を取り除いた際、使用者からは排水配管の内周面に沿って形成された昇降部が目視可能となるのみであり、従来の遠隔操作式排水栓装置のように、装置の一部が排水配管の中央に向けて突出しておらず、非常に意匠性が良い。又、従来の遠隔操作式排水栓装置のように突出する部材が存在しないことから毛髪等が装置に絡むこともなく、使用者は目視可能な部分の清掃を容易に行うことができる。
又、請求項１乃至請求項４に記載の本発明によれば、従動部を上下動させる構造について明確にすることが可能となる。又、水平方向に動作する当接部の応力が従動部を上下動させる応力へと変換されることによって、施工性が向上するとともに、装置を簡易且つ小型化することが可能となる。
請求項５に記載の本発明によれば、排水配管の内周と略同一の外周形状を備えることにより、スムーズな上下動が可能になるとともに、排水配管の内周面を平滑にすることができる。
請求項６に記載の本発明によれば、従動部は操作部に対し他の操作が加えられた際に下降する応力が加えられることから、従動部と他の部材との間に汚れが堆積する等した際であっても、従動部を安定して下降させることが可能となる。
請求項７に記載の本発明は、ベルト部が操作部の操作に伴い排水配管の周方向に沿って摺動することから、装置を小型化することが可能となる。
【図面の簡単な説明】
【００１５】
【図１】本発明を示す断面図である。
【図２】本発明の構成部材を示す分解図である。
【図３】本発明の施工状態を示す参考図である。
【図４】伝達部の一部を示す斜視図である。
【図５】従動部を示す斜視図である。
【図６】従動部を示す側面図である。
【図７】伝達部の取り付けを示す参考図である。
【図８】（ａ）当接部が水平溝部内に配置された状態を示す参考図（ｂ）当接部が傾斜溝部内に配置された状態を示す参考図である。
【図９】弁体の下降状態を示す一部断面図である。
【図１０】図９より従動部及び伝達部の一部を抜粋した参考図である。
【図１１】弁体の上昇状態を示す一部断面図である。
【図１２】図１１より従動部及び伝達部の一部を抜粋した参考図である。
【図１３】清掃時に弁体を取り除いた状態を示す断面図である。
【図１４】第二実施形態の構成部材を示す分解図である。
【図１５】（ａ）伝達部の一部を示す斜視図（ｂ）伝達部の一部を示す展開図である。
【図１６】従動部を示す側面図である。
【図１７】弁体の下降状態を示す一部断面図である。
【図１８】弁体の上昇状態を示す一部断面図である。
【図１９】第三実施形態の従動部及び伝達部の一部を示す斜視図である。
【図２０】第四実施形態の従動部を示す断面図である。
【発明を実施するための形態】
【００１６】
以下に、本発明の遠隔操作式排水栓装置を、図面を参照しつつ説明する。尚、以下に記載する説明は実施形態の理解を容易にするためのものであり、これによって発明が制限して理解されるものではない。又、以下の実施形態においては、特に断りの無い限り図１に示す施工状態を基準として上下左右及び位置関係を説明する。
【００１７】
本実施形態に係る遠隔操作式排水栓装置は、図１乃至図３に示すように、槽体Ｂに取り付けられ、排水栓１、排水管継手３、排水トラップ５、弁体６、操作部７、伝達部８、従動部９から構成されている。
【００１８】
槽体Ｂは上方が開口した箱状の洗面台であって、図示しないキャビネット上に載置されている。又、槽体Ｂはその底面及び側面に開口を有しており、底面に形成された開口には排水栓１が、側面に形成された開口にはオーバーフロー排水栓２が取り付けられている。
【００１９】
排水栓１は内部に排水流路を形成し、上流側端部及び下流側端部が開口する中空の円筒部材であって、外周に雄螺子が螺刻されており、上端より外側に向けて鍔部が形成されている。尚、排水栓１はその上端の開口が排水口１１として機能し、槽体Ｂからの排水が排水栓１以下の排水流路に流入する流入部分を構成する。又、鍔部の外径は上記槽体Ｂの底面に形成された開口よりも大径であるとともに、筒状部分は槽体Ｂの底面に形成された開口よりも小径に形成されている。従って、槽体Ｂの底面に形成された開口内に挿入された排水栓１は、槽体Ｂ裏側（下方）よりパッキンを介してナットと螺合することによって、鍔部とナットによって槽体Ｂの底面に形成された開口の周縁を挟持している。又、排水栓１は内周面の中程より、排水栓１の内周面より小径且つ排水栓１と同心円状に形成された内筒部１２を形成している。内筒部１２は排水栓１内周より、下方に向けて縮径するように傾斜する傾斜面と、当該傾斜面下端より垂設されて筒部を備えており、排水栓１内周と筒部との間に隙間１３を形成し、当該隙間１３内に後述する従動部９の上部が上下動可能に収納されている。又、排水栓１下端内周にはテーパ部が形成されており、排水管継手３の上端が挿入されている。
【００２０】
オーバーフロー排水栓２は上記排水栓１と同様に、内部に排水流路を形成し、上流側端部と下流側端部が開口する中空の円筒部材であって、外周に雄螺子が螺刻されており、上端より外側に向けて鍔部が形成されている。オーバーフロー排水栓２は下流側端部において、可撓性を有する蛇腹管２１と連結しており、当該蛇腹管２１を介してオーバーフロー排水栓２から連続するオーバーフロー流路を排水トラップ５の枝管部５２へと連続させている。上記構成により、オーバーフロー流路は槽体Ｂの内部に一定以上の水位（オーバーフロー排水栓２下端）まで湯水が貯留された際、余剰湯水を排出し、槽体Ｂから湯水が溢れることを防ぐ機能を有している。
【００２１】
排水管継手３は上記排水栓１と後述する排水トラップ５を繋ぐ直管状の継手部材であり、側面より接線方向に延設された横管部３１を備え、内周にガイド部３２を備えている。ガイド部３２は排水管継手３の軸方向（上下方向）に形成された溝であって、後述する従動部９の被ガイド部９７が上下動可能に配置されている。又、排水管継手３の上端は排水栓１の下端に挿入され、ナットによって接続され、下端はＣ字リング４によって排水トラップ５と接続されている。尚、排水管継手３の上端には排水栓１下端のテーパ部に対応するテーパ部が形成されており、排水栓１と接続された際には排水栓１と排水管継手３の中心軸が合致する。
【００２２】
排水トラップ５は断面視略Ｕ字状に屈曲させた管体を２つ接続し、排水流路を略Ｓ字状に屈曲させたものであり、内部に排水が貯留可能な貯留部５１を形成している。尚、貯留部５１に貯留された排水は封水と呼ばれ、排水流路の一部を満水状態にすることによって、下流側からの臭気や害虫の逆流を防止する効果を奏する。又、排水トラップ５は排水管継手３から連続して垂下する排水流路中に、斜め上方に向けて延設された枝管部５２を有している。枝管部５２は蛇腹管２１が接続されており、オーバーフロー排水栓２から連続するオーバーフロー流路を形成している。
【００２３】
弁体６は平面視円形の弁蓋６１と、毛髪等の塵芥を捕集する上部目皿６２及び下部目皿６３と、弁蓋６１の裏面中央より下部目皿６３まで垂設された棒状の支持軸部６４を備えている。
弁蓋６１は外周にパッキンが嵌着されており、弁体６が下降状態にある時、排水栓１と当接して排水口１１を閉塞することが可能となっている。
上部目皿６２及び下部目皿６３は共に網目状の捕集部を備えた平面視円形状であって、上部目皿６２は排水栓１の内径と略同一の外径を有し、下部目皿６３は内筒部１２の内径と略同一の外径を有している。又、下部目皿６３は後述する従動部９に外縁（底面）が支持（載置）されている。
【００２４】
操作部７は排水栓１から離れた位置であって、槽体Ｂの天面に配置されており、使用者が直接押引操作を加えるレバー７１を備えている。又、操作部７は下端において伝達部８と連結している。
【００２５】
伝達部８はアウターチューブ８２、インナーワイヤ８３より成るレリースワイヤ８１と、レリースワイヤ８１端部に取り付けられたベルト部８４より構成されている。
アウターチューブ８２は合成樹脂より成る中空のチューブ体であり、内部にインナーワイヤ８３が進退可能に配置されている。インナーワイヤ８３は金属の撚り線であって、一端が操作部７のレバー７１と、他端がベルト部８４と接続されている。
上記レリースワイヤ８１は側面方向に可撓性を有するとともに、軸方向に剛性を有している。
ベルト部８４は図４に示すように、水平方向に可撓性を備えるベルト状であって、上下方向及び軸方向に剛性を備えている。又、ベルト部８４は横管部３１から排水管継手３内部に挿入されているとともに、排水管継手３の内周面に沿って配置されており、排水管継手３の内周を周方向（水平方向）に摺動可能となっている。更に、ベルト部８４は排水管継手３の中央に向けて突出する突起部８５を３箇所に備えている。尚、本実施形態において、当該突起部８５は後述する従動部９と当接する当接部８６として機能する。
上記伝達部８はレバー７１に加えられた押引操作に伴いインナーワイヤ８３がアウターチューブ８２内部を進退することでベルト部８４を摺動させ、レバー７１に加えられた押引操作を弁体６側へと伝達する構造となっている。又、レリースワイヤ８１は横管部３１より水平方向に挿入されており、操作部７に加えられた上下方向の操作を水平方向の応力へと変換している。
【００２６】
従動部９は排水管継手３の内部に配置されたリング状の部材であって、上部内周が縮径することによって段状の昇降部９１が全周に形成されているとともに、外周に溝部９２、被ガイド部９７が形成されている。溝部９２は図５及び図６に示すように、従動部９の全周に沿って水平に形成された水平溝部９３と、水平溝部９３より上方へ向けて傾斜して形成された傾斜溝部９４より構成されている。傾斜溝部９４は従動部９の外周の３箇所において形成されており、上面及び下面において傾斜する傾斜面９５を備えている。尚、以降においては傾斜溝部９４の上面側の傾斜面９５を傾斜面９５ａ、下面側の傾斜面９５を傾斜面９５ｂとし、傾斜面９５ａと傾斜面９５ｂを合わせて指す場合には傾斜面９５と記載する。又、傾斜溝部９４は水平溝部９３からの分岐箇所において凸部９６を有している。
被ガイド部９７は従動部９の外周より外側に向けて突設され、従動部９が回動不可能となるように排水管継手３のガイド部３２内に配置されている。
【００２７】
上記各部材より構成された遠隔操作式排水栓装置は、以下のように施工される。尚、以下に記載する施工手順においては、排水トラップ５より下流側の排水配管に関する施工は省略する。又、以下に記載する施工手順はあくまで一例である。
【００２８】
まず、槽体Ｂの底面に形成された開口に排水栓１を、側面に形成された開口にオーバーフロー排水栓２を、槽体Ｂの天面に操作部７をそれぞれ取り付ける。この時、各部材はパッキンを介して取り付けられるため、槽体Ｂ内に生じた湯水は全て排水栓１及びオーバーフロー排水栓２を通じて排出される。
次に、排水管継手３の内部に従動部９を配置する。従動部９が排水管継手３内に配置された際、従動部９の被ガイド部９７は排水管継手３のガイド部３２内に配置され、従動部９は排水管継手３に対して上下方向にのみ動作可能となる。
次に、図７に示すように、横管部３１から伝達部８を挿入する。この時、図８（ａ）に示すように、ベルト部８４は排水管継手３の内周に対し、周方向に沿って摺動可能に配置され、突起部８５は水平溝部９３内に配置される。作業者は当該状態よりベルト部８４の位置を調整し、従動部９を押し込むことで、図８（ｂ）に示すように突起部８５を傾斜溝部９４内へと配置するとともに、横管部３１にナットを螺合させることによって、伝達部８の抜脱を防止する。
次に、排水栓１と排水管継手３をナットにより接続する。この時、排水管継手３上端が排水栓１下端に挿入され、排水管継手３上端のテーパ部と排水栓１下端のテーパ部が当接することによって排水管継手３と排水栓１の中心軸が合致し、更に、従動部９の上部は排水栓１の下方に形成された隙間１３内に収納されることによって、排水栓１の中心軸と従動部９の中心軸が合致する。従って、排水栓１、排水管継手３、従動部９は全て同軸上に配置される。
最後に、排水トラップ５と排水管継手３を、Ｃ字リング４を使用して接続し、排水トラップ５の枝管部５２に蛇腹管２１を接続することで施工が完了する。
【００２９】
上記手順によって施工された本実施形態の遠隔操作式排水栓装置は、以下のように作動する。尚、従動部９と伝達部８の位置関係の理解を容易にすることから、図９及び図１１に示す断面図においては従動部９及びベルト部８４は断面図にしていない。又、図１０及び図１２はそれぞれ図９及び図１１より従動部９とベルト部８４を抜粋し、ベルト部８４を一点鎖線にて示している。
【００３０】
図９及び図１０に示すように、上記弁体６が下降状態にある時、当接部８６であるベルト部８４の突起部８５は、傾斜溝部９４の上端位置に配置されている。当該弁体６の下降状態より、使用者が操作部７（レバー７１）に対して引き上げ操作を加えると、レバー７１下端に接続されたインナーワイヤ８３がアウターチューブ８２を操作部７側へと後退し、当該後退に基づいて、インナーワイヤ８３に接続されたベルト部８４が排水流路内を平面視反時計回りに摺動する。この時、突起部８５は傾斜溝部９４内の下端側に向けて摺動するとともに、突起部８５が傾斜溝部９４の上面側の傾斜面９５ａと当接することによって、突起部８５から付与される水平方向の応力が上下方向の応力へと変換され、従動部９に対して上方向への応力が付与される。従って、図１１及び図１２に示すように、従動部９の昇降部９１に支持された弁体６は従動部９と共に上昇し、排水口１１を開口させるとともに、突起部８５が傾斜溝部９４の下端且つ凸部９６の下方に配置され、突起部８５の位置（弁体６の上昇状態）が保持される。
【００３１】
次に、上記弁体６の上昇状態より、使用者が操作部７（レバー７１）に押し込み操作を加えると、レバー７１下端に接続されたインナーワイヤ８３がアウターチューブ８２内を弁体６側へと前進し、当該前進に基づいて、インナーワイヤ８３に接続されたベルト部８４が排水流路内を平面視時計回りに摺動する。この時、突起部８５は凸部９６を乗り超えて傾斜溝部９４内を摺動するとともに、突起部８５が傾斜溝部９４の下面側の傾斜面９５ｂと当接することによって、突起部８５から付与される水平方向の応力が上下方向の応力へと変換され、従動部９に対して下方向への応力が付与される。従って、従動部９の昇降部９１に支持された弁体６は、従動部９と共に下降するとともに、突起部８５が傾斜溝部９４の上端位置に再び配置される。
【００３２】
上記遠隔操作式排水栓装置に対する湯水（排水）の流れは以下のようになる。
【００３３】
弁体６が上昇している際、弁体６のパッキンは排水栓１と離間しており、排水口１１は開口されている。従って、槽体Ｂ内に排出された湯水は排水口１１より排水配管に流入し、排水栓１、排水管継手３、排水トラップ５を通じて更に下水側の排水配管へと排出される。この時、槽体Ｂより流入した排水の一部は排水トラップ５の貯留部５１に貯留され、封水を形成する。
対して、弁体６が下降している際、弁体６のパッキンは排水栓１に当接しており、排水口１１は閉塞されている。従って、当該状態においては槽体Ｂ内部に湯水が貯留可能となっているが、オーバーフロー排水栓２下端まで湯水が貯留された場合、更に貯留されようとする湯水はオーバーフロー排水栓２に流入し、蛇腹管２１を通じて排水トラップ５内部へと排出される。
【００３４】
本発明の第一実施形態は以上であるが、上記第一実施形態においては、弁体６はその外縁が排水配管の内周面に沿って形成された昇降部９１に支持され、上下動を行う構造となっている。従って、図１３に示すように、清掃時等において弁体６を取り除いた際、使用者からは排水配管の内周面に沿って形成された昇降部９１が目視可能となるのみであり、従来の遠隔操作式排水栓装置のように、装置の一部が排水配管の中央に向けて突出しておらず、非常に意匠性が良い。又、従来の遠隔操作式排水栓装置のように突出する部材が存在しないことから毛髪等が装置に絡むこともなく、使用者は目視可能な部分の清掃を容易に行うことができる。
又、本実施形態においては、溝部９２内を当接部８６（突起部８５）が摺動することによって、操作部７に対して引き上げ操作を加えると従動部９及び弁体６に対して上昇する応力が付与され、操作部７に対して他の操作である押し込み操作を加えると従動部９及び弁体６に対して下降する応力が付与される。従って、従動部９の下降は自重によるものではないため、従動部９の外周と排水配管の内周に汚れが堆積する等した際であっても、従動部９を安定して下降させることが可能となる。そして、排水栓１、排水管継手３、従動部９の中心軸は合致しているため、従動部９はスムーズに排水配管内部を上下動することが可能となる。
【００３５】
尚、上記第一実施形態においては、従動部９が溝部９２を有し、当該溝部９２に傾斜面９５が形成されており、ベルト部８４に当接部８６としての突起部８５が形成されているが、従動部９に外方向へ突出する突起部８５が形成され、ベルト部８４が溝部９２を有し、当該溝部９２に当接部８６としての傾斜面９５が形成されていても良い。
【００３６】
次に、本発明の第二実施形態について図３及び図１４乃至図１８を用いて説明する。尚、第二実施形態は第一実施形態と同一の排水栓１、排水管継手３、排水トラップ５、操作部７、弁体６を使用するため、当該各部材には同一の番号を付してその説明を省略し、第一実施形態と異なる構成についてのみ説明を行う。
【００３７】
伝達部８はアウターチューブ８２、インナーワイヤ８３より成るレリースワイヤ８１と、レリースワイヤ８１端部に取り付けられたベルト部８４より構成されている。
アウターチューブ８２は合成樹脂より成る中空のチューブ体であり、内部にインナーワイヤ８３が進退可能に配置されている。インナーワイヤ８３は金属の撚り線であって、一端が操作部７のレバー７１と、他端がベルト部８４と接続されている。
上記アウターチューブ８２及びインナーワイヤ８３より成るレリースワイヤ８１は側面方向に可撓性を有するとともに、軸方向に剛性を有している。
ベルト部８４は図１５に示すように、水平方向に可撓性を備えるベルト状であって、上下方向及び軸方向に剛性を備えている。又、ベルト部８４は横管部３１から排水管継手３内部に挿入されているとともに、排水管継手３の内周面に沿って配置されており、排水管継手３の内周を周方向（水平方向）に摺動可能となっている。更に、ベルト部８４はその上面において、上方へ向けて突出する鋸刃状の当接部８６を有している。当接部８６は上方へ向けて傾斜する傾斜面１００ｂと、傾斜面１００ｂの上端より略水平に延設された段部８７より成り、ベルト部８４上に３箇所形成されている。
上記伝達部８はレバー７１に加えられた押引操作に伴いインナーワイヤ８３がアウターチューブ８２内部を進退することでベルト部８４を摺動させ、当接部８６によってレバー７１に加えられた押引操作を弁体６側へと伝達する構造となっている。又、レリースワイヤ８１は横管部３１より水平方向に挿入されており、操作部７に加えられた上下方向の操作を水平方向の応力へと変換している。
【００３８】
従動部９は排水管継手３の内部に配置されたリング状の部材であって、上部内周が縮径することによって段状の昇降部９１が全周に形成されているとともに、外周にカム部９８、被ガイド部９７が形成されている。カム部９８は図１６に示すように、従動部９の全周に沿って下方へ向けて突設された鋸刃状であり、下方へ向けて傾斜する傾斜面１００ａと、傾斜面１００ａの下端より略水平に延設された水平部９９より成り、従動部９の周方向に３箇所形成されている。尚、傾斜面１００ａは前記ベルト部８４の傾斜面１００ｂと略同一の傾斜角度を成して形成されている。
被ガイド部９７は従動部９の外周より外側に向けて突設され、排水管継手３のガイド部３２内に配置されている。
【００３９】
上記各部材より構成された遠隔操作式排水栓装置は、以下のように施工される。尚、以下に記載する施工手順においては、排水トラップ５より下流側の排水配管に関する施工は省略する。又、以下に記載する施工手順はあくまで一例である。
【００４０】
まず、槽体Ｂの底面に形成された開口に排水栓１、側面に形成された開口にオーバーフロー排水栓２、槽体Ｂの天面に操作部７をそれぞれ取り付ける。この時、各部材はパッキンを介して取り付けられるため、槽体Ｂ内の湯水は全て排水栓１及びオーバーフロー排水栓２を通じて排出される。
次に、排水管継手３の内部に従動部９を配置する。従動部９が排水管継手３内に配置された際、従動部９の被ガイド部９７は排水管継手３のガイド部３２内に配置され、従動部９は排水管継手３に対して上下方向にのみ動作可能となる。
次に、横管部３１から伝達部８を挿入する。この時、図１７に示すように、ベルト部８４はカム部９８の下方であって、排水管継手３の内周に対し、周方向に沿って摺動可能に配置される。
次に、排水栓１と排水管継手３をナットにより接続する。この時、排水管継手３上端が排水栓１下端に挿入され、排水管継手３上端のテーパ部と排水栓１下端のテーパ部が当接することによって排水管継手３と排水栓１の中心軸が合致し、更に、従動部９の上部は排水栓１の下方に形成された隙間１３内に収納されることによって、排水栓１の中心軸と従動部９の中心軸が合致する。従って、排水栓１、排水管継手３、従動部９は全て同軸上に配置される。
最後に、排水トラップ５と排水管継手３をＣ字リング４を使用して接続し、且つ排水トラップ５の枝管部５２に蛇腹管２１を接続することで施工が完了する。
【００４１】
上記手順によって施工された本実施形態の遠隔操作式排水栓装置は、以下のように作動する。尚、従動部９と伝達部８の位置関係の理解を容易にすることから、図１７及び図１８に示す断面図においては従動部９及びベルト部８４のみを断面図にしていない。
【００４２】
図１７に示すように、弁体６が下降状態にある際、当接部８６であるベルト部８４の傾斜面１００ｂは、従動部９の傾斜面１００ａと当接した状態となっている。
上記弁体６の下降状態より、使用者が操作部７（レバー７１）に対して引き上げ操作を加えると、レバー７１下端に接続されたインナーワイヤ８３がアウターチューブ８２を操作部７側へと後退し、当該後退に基づいて、インナーワイヤ８３に接続されたベルト部８４が排水流路内を平面視反時計回りに摺動する。この時、傾斜面１００ａと当接部８６（傾斜面１００ｂ）が当接することにより、当接部８６の水平方向の応力が上下方向の応力へと変換され、従動部９に対して上方向への応力が付与される。従って、従動部９の昇降部９１に外縁が支持された弁体６は、従動部９と共に上昇し、排水口１１を開口させる。
尚、排水口１１が開口した状態において、従動部９の水平部９９は段部８７上に配置され、弁体６の上昇状態が保持される。
【００４３】
図１８に示す上記弁体６の上昇状態より、使用者が操作部７（レバー７１）に押し込み操作を加えると、レバー７１下端に接続されたインナーワイヤ８３がアウターチューブ８２内を弁体６側へと前進し、当該前進に基づいて、インナーワイヤ８３に接続されたベルト部８４が排水流路内を平面視時計回りに摺動する。この時、段部８７が周方向に摺動することにより、従動部９は自重によって下降する。従って、従動部９の昇降部９１に支持された弁体６は従動部９と共に下降する。
【００４４】
上記遠隔操作式排水栓装置に対する湯水（排水）の流れは上記第一実施形態と同様であるため省略する。
【００４５】
上記第二実施形態においては、弁体６はその外縁が排水配管の内周面に沿って形成された昇降部９１に支持され、上下動を行う構造となっている。従って、弁体６を取り除いた際、使用者からは排水配管の内周面に沿って形成された昇降部９１が目視可能となるのみであり、従来の遠隔操作式排水栓装置のように、装置の一部が排水配管の中央に向けて突出しておらず、非常に意匠性が良い。又、従来の遠隔操作式排水栓装置のように突出する部材が存在しないことから毛髪等が装置に絡むこともなく、使用者は目視可能な部分の清掃を容易に行うことができる。そして、排水栓１、排水管継手３、従動部９の中心軸は合致しているため、従動部９はスムーズに排水配管内部を上下動することが可能となる。
【００４６】
又、本実施形態においては、当接部８６の傾斜面１００ｂがカム部９８の傾斜面１００ａと当接することによって、操作部７に対して引き上げ操作を加えると従動部９及び弁体６に対して上昇する応力が付与され、操作部７に対して他の操作である押し込み操作を加えると従動部９は自重によって降下する。従って、第二実施形態は前記第一実施形態とは異なり、他の操作に応じて従動部９に対して下降する応力は付与されない。しかし、ベルト部８４に更に傾斜面を設ける等して、操作部７の他の操作時に従動部９に下降する応力を付与しても良く、スプリング等を配置して、他の操作時にはスプリング等の反発によって従動部９に下降する応力を付与しても良い。
【００４７】
本発明は上記実施形態の形状に限られるものではなく、発明の要旨を逸脱しない範囲において種々の形状変更を行っても良いものである。例えば、従動部９が上下する機構を種々の構造に変更しても良い。
図１９に示す第三実施形態においては、従動部９が外周に螺旋状の溝部９２を有する筒状体１１０と、当該溝部９２内を摺動する突起を有する歯車１１１から成り、伝達部８が端部に当該歯車１１１と係合する歯状の当接部８６を有するラック１１２を備えている。筒状体１１０はその上端に昇降部９１を形成するとともに排水管継手３に対して回動不可能に配置されている。そして、操作部７の操作に応じてラック１１２が歯車１１１と係合し、歯車１１１を回転させることで筒状体１１０を上下動させる構造となっている。
【００４８】
又、上記各実施形態において、従動部９は全て平面視円形のリング状であったが、楕円や矩形など、円形以外の形状であっても良い。又、昇降部９１も排水配管の全周に沿って環状に形成されている必要は無く、図２０に示す第四実施形態ように、昇降部９１が複数箇所の切り欠きを有する等、排水配管の内周に沿って適宜箇所に連続して形成されていても良い。
【００４９】
又、操作部７の操作に応じて上下動する従動部９の動作を利用し、弁体６の上昇時に従動部９がオーバーフロー流路を閉塞する構造であっても良い。この場合においては、オーバーフロー排水栓２から泡等が逆流することを防ぐことができる。
【００５０】
又、上記各実施形態において、操作部７は押し込み操作と、他の操作である引き上げ操作が可能な構造であったが、操作部７にインナーワイヤ８３の前進状態や後退状態を保持するロック機構を設ける等して、押し込み操作毎にインナーワイヤ８３の進退状態を切り替える構造であっても良い。この場合において「他の操作」とは、弁体６を上昇させる押し込み操作に対し、弁体６を下降させる押し込み操作が「他の操作」に該当するものである。
【００５１】
又、伝達部８端部は必ずしも水平方向に動作する必要はなく、レリースワイヤ８１端部が弁体６側において垂直に配置され、従動部９を直接押し上げる等の構造を採用しても良い。
【００５２】
又、伝達部８はアウターチューブ８２とインナーワイヤ８３から成るレリースワイヤ８１を有していたが、複数本の棒状態を利用して操作部７の操作を弁体６側へと伝達しても良い。更に、伝達部８が電線等を有し、操作部７に加えられた操作を電気的に弁体６側へ伝達し、モータ等を利用して従動部９を上下動させても良い。
【符号の説明】
【００５３】
１                      排水栓
１１                    排水口
１２                    内筒部
１３                    隙間
２                      オーバーフロー排水栓
２１                    蛇腹管
３                      排水管継手
３１                    横管部
３２                    ガイド部
４                      Ｃ字リング
５                      排水トラップ
５１                    貯留部
５２                    枝管部
６                      弁体
６１                    弁蓋
６２                    上部目皿
６３                    下部目皿
６４                    支持軸部
７                      操作部
７１                    レバー
８                      伝達部
８１                    レリースワイヤ
８２                    アウターチューブ
８３                    インナーワイヤ
８４                    ベルト部
８５                    突起部
８６                    当接部
８７                    段部
９                      従動部
９１                    昇降部
９２                    溝部
９３                    水平溝部
９４                    傾斜溝部
９５、９５ａ、９５ｂ    傾斜面
９６                    凸部
９７                    被ガイド部
９８                    カム部
９９                    水平部
１００ａ、１００ｂ      傾斜面
１１０                  筒状体
１１１                  歯車
１１２                  ラック
Ｂ                      槽体
【図１】
0006630902.tif 000002
【図２】
0006630902.tif 000003
【図３】
0006630902.tif 000004
【図４】
0006630902.tif 000005
【図５】
0006630902.tif 000006
【図６】
0006630902.tif 000007
【図７】
0006630902.tif 000008
【図８】
0006630902.tif 000009
【図９】
0006630902.tif 000010
【図１０】
0006630902.tif 000011
【図１１】
0006630902.tif 000012
【図１２】
0006630902.tif 000013
【図１３】
0006630902.tif 000014
【図１４】
0006630902.tif 000015
【図１５】
0006630902.tif 000016
【図１６】
0006630902.tif 000017
【図１７】
0006630902.tif 000018
【図１８】
0006630902.tif 000019
【図１９】
0006630902.tif 000020
【図２０】
0006630902.tif 000021